【手続補正書】
【提出日】平成21年1月7日(2009.1.7)
【手続補正１】
【補正対象書類名】明細書
【補正対象項目名】００１０
【補正方法】変更
【補正の内容】
【００１０】
このような本発明では次のような動作が実行される。まず、自分の姿を撮像した撮像画像データを欲するユーザは、撮像指示装置を装着する。
１又は複数の撮像装置とは、多様な場所に設置してあるカメラ機器を想定する。これは公共のカメラであっても私物としてのカメラ機器であってもよい。さらに１又は複数の撮像装置とは、他人が所持又は装着しているカメラ機器であってもよい。
撮像指示装置は、撮像指示装置に固有の識別情報（ユーザＩＤ）と撮像要求信号を含む通知データを送信出力する。この撮像指示装置を装着したユーザが、その日常の生活行動において、撮像装置のある場所に行くと、上記通知データが撮像装置に受信される。撮像装置は、その通知データにおける撮像要求信号を確認することで、撮像画像データの保存処理を行う。このときに、撮像指示装置の識別情報も対応づけて保存する。
つまり、ユーザは、撮像指示装置を装着又は所持していることで、そのユーザが、各地の（又は他人の）撮像装置によって撮像され、識別情報とともに撮像画像データが保存されることになる。
後にユーザは、識別情報に基づいて撮像画像データを入手することができる。例えば撮像装置は、保存処理した撮像画像データと識別情報をサーバ装置にアップロードする。サーバ装置は、ユーザからの要求に応じて、識別情報によって撮像画像データを抽出できる。識別情報によって抽出した撮像画像データは、そのユーザが撮されている撮像画像データとなり、これをユーザに提供できるようにすればよい。
【手続補正２】
【補正対象書類名】明細書
【補正対象項目名】００２５
【補正方法】変更
【補正の内容】
【００２５】
位置検出部６は例えばＧＰＳ受信部とされる。ＧＰＳ受信部は、ＧＰＳ（Global Positioning System）の衛星からの電波を受信し、現在位置としての緯度・経度の情報を得る。特には、１〜数ｍ程度の精度で位置を特定できる位置情報として度、分、秒、０．１秒程度の精度で位置情報を取得できることが望ましい。
なお、位置検出部６としては、ＷｉＦｉ（Wireless Fidelity）や携帯電話会社が提供する位置情報サービスを利用するものとしてもよいし、それらやＧＰＳを組み合わせて利用しても良い。
【手続補正３】
【補正対象書類名】明細書
【補正対象項目名】００２７
【補正方法】変更
【補正の内容】
【００２７】
次に撮像装置１０の構成例を図４で説明する。
システムコントローラ１１は、例えばＣＰＵにより形成される。そしてこのシステムコントローラ１１は撮像装置１０の全体を制御する制御部とされる。即ちシステムコントローラ１１は動作プログラムに基づいて、各種演算処理やバス１９を介した各部と制御信号等のやりとりを行い、各部に所要の動作を実行させる。
メモリ部１４は、ＲＯＭ、ＲＡＭ、不揮発性メモリ部等のメモリ領域を有し、システムコントローラ１１によって用いられる。例えばメモリ部１４のＲＯＭ領域や不揮発性メモリ領域には、システムコントローラ１１の動作プログラムや、固定的な動作パラメータなどが格納される。またＲＡＭ領域はシステムコントローラ１１の演算処理のワーク領域として用いられたり、撮像指示装置１からのカメラ通知データ受信時に、そのカメラ通知データ内容の格納などに用いられる。
なお、メモリ部１４は、マイクロコンピュータチップとしてのシステムコントローラ１１の内部メモリとして構成されてもよい。
【手続補正４】
【補正対象書類名】明細書
【補正対象項目名】００３０
【補正方法】変更
【補正の内容】
【００３０】
指示装置対応通信部１５は、上述した撮像指示装置１のカメラ対応通信部３との間でのデータ通信を行う。従ってカメラ対応通信部３との間の共通の無線通信方式による通信を実行する。
暗号化部１８は、撮像画像データに対する暗号化処理を行う暗号化プロセッサとされる。例えば暗号化部１８には、撮像制御部１３から転送されてくる撮像画像データ、或いはストレージ部１６から読み出された撮像画像データについて、暗号鍵を用いて暗号化を行う。
暗号鍵は、例えば上述したパスワードを用いた所定の生成アルゴリズム演算により生成する。或いはパスワード自体を暗号鍵としてもよい。
【手続補正５】
【補正対象書類名】明細書
【補正対象項目名】００３１
【補正方法】変更
【補正の内容】
【００３１】
ストレージ部１６はシステムコントローラ１１の制御に基づいて、撮像画像データの記録（保存処理）を行う。また撮像画像データとともに撮像指示装置１から送信されてきたユーザＩＤを対応づけて記録する。
またシステムコントローラ１１の制御に基づいて、記録した撮像画像データ等を読み出す。
このストレージ部１６は、ＲＡＭ或いはフラッシュメモリなどの固体メモリにより構成されても良いし、例えばＨＤＤ（Hard Disk Drive）により構成されてもよい。
また内蔵の記録媒体ではなく、可搬性の記録媒体、例えば固体メモリを内蔵したメモリカード、光ディスク、光磁気ディスク、ホログラムメモリなどの記録媒体に対応する記録再生ドライブなどとされても良い。
もちろん、固体メモリやＨＤＤ等の内蔵タイプのメモリと、可搬性記録媒体に対する記録再生ドライブの両方が搭載されてもよい。
【手続補正６】
【補正対象書類名】明細書
【補正対象項目名】００４５
【補正方法】変更
【補正の内容】
【００４５】
これに対して図７（ｂ）、図８（ｂ）のような通信処理も考えられる。
撮像指示装置１の通信コントローラ２は、図７（ｂ）に示すように、カメラ対応通信部３によって撮像装置１０からの問合せデータが受信されたか否かをステップＦ１２０でチェックしている。そして問合せデータが受信された場合は、ステップＦ１２１に進み、カメラ通知データをカメラ対応通信部３に供給して、通信用の変調処理や送信出力を実行させる。
撮像装置１０側では、システムコントローラ１１は図８（ｂ）の処理を常時実行する。例えばシステムコントローラ１１はタイムカウントに基づいて、定期的な送信タイミングとなったか否かをステップＦ２１０で判別する。そして送信タイミングとなったら、ステップＦ２１１に進み、問合せデータを指示装置対応通信部１５から送信出力させる。
問合せデータを指示装置対応通信部１５から送信させたら、待機時間としてのタイムカウントを開始させて、ステップＦ２１２でカメラ通知データを受信したか否かを判別し、またステップＦ２１３でタイムアウトに至ったか否かを判別する。
即ち所定時間、カメラ通知データを待機する。そしてタイムアウトとなる前にカメラ通知データが受信されたら、後述する図９の処理を開始する。一方、タイムアウトとなった場合は、ステップＦ２１０に戻る。
【手続補正７】
【補正対象書類名】明細書
【補正対象項目名】００４６
【補正方法】変更
【補正の内容】
【００４６】
もし撮像装置１０の近辺に、撮像指示装置１を装着したユーザＵが居た場合、撮像指示装置１のカメラ対応通信部３によって問合せデータが受信される。これにより撮像指示装置１は図７（ｂ）の処理によりカメラ通知データを送信することになる。すると撮像装置１０側では、ステップＦ２１２でカメラ通知データの受信を確認するものとなる。
つまりこの図７（ｂ）、図８（ｂ）の例は、撮像装置１０が常時定期的に問合せデータを発信しており、近くにある撮像指示装置１が、これに反応してカメラ通知データを送信するという通信動作例である。
なお、図８（ｂ）のステップＦ２１０の送信タイミングは、必ずしも定期的でなくてもよい。例えば撮像装置１０側に、近くに人がいることを検知するセンサを備えるようにし、人がいることを検知した際に、送信タイミングと判断するようにしてもよい。
【手続補正８】
【補正対象書類名】明細書
【補正対象項目名】００６８
【補正方法】変更
【補正の内容】
【００６８】
システムコントローラ１１は常時撮像を開始させた後は、図８（ａ）又は図８（ｂ）の処理でカメラ通知データの受信を待機する。そしてカメラ通知データが受信され、そのカメラ通知データに撮像要求コードＲＱが含まれていたら、図１３（ａ）のステップＦ２３１からＦ２３２に進め、マーキング処理を行う。
このマーキング処理とは、常時撮像されている動画又は静止画の撮像画像データ上の現時点の画像ポイントに、カメラ通知データに含まれているユーザＩＤを対応づける処理となる。例えば撮像画像データに付与されるタイムコードにユーザＩＤを対応づければよい。またカメラ通知データにパスワードが含まれていたら、パスワードもユーザＩＤと同様に対応づけて保存する。
【手続補正９】
【補正対象書類名】明細書
【補正対象項目名】００８１
【補正方法】変更
【補正の内容】
【００８１】
これら図１５（ａ）（ｂ）では、眼鏡型或いは頭部装着型の装着ユニットによりユーザの頭部に装着される撮像及び撮像指示装置１００を挙げたが、撮像及び撮像指示装置１００をユーザが装着するための構造は多様に考えられる。例えばヘッドホン型、ネックバンドタイプ、耳掛け式など、どのような装着ユニットでユーザに装着されるものであってもよい。さらには、例えば通常の眼鏡やバイザー、或いはヘッドホン等に、クリップなどの取付具で取り付けることでユーザに装着させる形態であってもよい。また必ずしもユーザの頭部に装着されるものでなくても良い。
また、撮像方向をユーザの視界方向としているが、装着時にユーザの後方、側方、上方、足下方向などを撮像するように撮像レンズ１２ａが取り付けられている構成や、撮像方向が同一又は異なる方向とされた複数の撮像系が設けられている構成も考えらえる。
さらには、１又は複数の撮像レンズ１２ａについて、被写体方向を手動又は自動で可変できる撮像方向可変機構を設けても良い。
【手続補正１０】
【補正対象書類名】明細書
【補正対象項目名】００８４
【補正方法】変更
【補正の内容】
【００８４】
なお、図１５（ａ）のように表示構成を備える場合は、図１６に示すように表示部２２と表示制御部２３を備えることになる。
表示部２２は、上述した液晶パネル等による表示パネル部２２ａと、表示パネル部２２ａを表示駆動する表示駆動部が設けられる。表示駆動部は、撮像制御部１３から供給される画像データを、例えば液晶ディスプレイとされる表示パネル部２２ａにおいて表示させるための画素駆動回路で構成されている。画素駆動回路は表示パネル部２２ａにおいてマトリクス状に配置されている各画素について、それぞれ所定の水平／垂直駆動タイミングで映像信号に基づく駆動信号を印加し、表示を実行させる。
表示制御部２３は、システムコントローラ１１の制御に基づいて、表示部２２における画素駆動回路を駆動し、表示パネル部２２ａに所定の表示を実行させる。例えば撮像部１２の撮像動作に応じた撮像モニタとしての表示や、ストレージ部１６に取り込まれた撮像画像データの再生表示などを、表示パネル部２２ａにおいて実行させる。
また表示制御部２３は、システムコントローラ１１の指示に基づいて表示駆動部を制御し、表示パネル部２２ａの各画素の透過率を制御して、スルー状態（透明又は半透明の状態）とすることもできる。